(57)【要約】      （修正有）【課題】切り離しが可能なストッパーを一体化した履物収納具を提供する。【解決手段】履物収納具１は、左右一足のうちの一方の履物が載置される下段パネル１１と、この下段パネル１１の上に離隔して配置され、前記左右一足のうちの他方の履物が載置されると共に、ストッパー被係止部Ｕを有する上段パネル１２と、この上段パネル１２の前部と下段パネル１１の前部とを接続する接続部１３と、ストッパー被係止部Ｕに係止して、上段パネル１２に載置される他方の履物の離脱を防止するストッパー１４とを備え、ストッパー１４は、下段パネル１１、上段パネル１２、接続部１３の内の何れかに設けられ、ストッパー１４の周囲は、切り離しが可能な切れ目線２０が設けられているものである。【選択図】図１
0003185134.tif 000002
【実用新案登録請求の範囲】
【請求項１】
左右一足のうちの一方の履物が載置される下段パネルと、
この下段パネルの上に離隔して配置され、前記左右一足のうちの他方の履物が載置されると共に、ストッパー被係止部を有する上段パネルと、
この上段パネルの前部と前記下段パネルの前部とを接続する接続部と、
前記ストッパー被係止部に係止して、前記上段パネルに載置される前記他方の履物の離脱を防止するストッパーとを備え、
前記ストッパーは、前記下段パネル、前記上段パネル、前記接続部の内の何れかに設けられ、前記ストッパーの周囲は、切り離しが可能な切れ目線が設けられている
ことを特徴とする履物収納具。
【請求項２】
左右一足のうちの一方の履物が載置される下段パネルと、
この下段パネルの上に離隔して配置され、前記左右一足のうちの他方の履物が載置されると共に、ストッパー被係止部を有する上段パネルと、
この上段パネルの前部と前記下段パネルの前部とを接続する接続部と、
前記ストッパー被係止部に係止して、前記上段パネルに載置される前記他方の履物の離脱を防止するストッパーとを備え、
前記ストッパーは、前記接続部に設けられ、前記ストッパーの周囲は、切り離しが可能な切れ目線が設けられている
ことを特徴とする履物収納具。
【請求項３】
上段パネルであって、上段パネルの長手方向に沿って上面が凹、下面が凸となる上方側溝が形成されている
ことを特徴とする請求項１又は請求項２記載の履物収納具。
【請求項４】
下段パネルであって、下段パネルの長手方向に沿って上面が凹、下面が凸となる下方側溝が形成されている
ことを特徴とする請求項１〜３のいずれかに記載の履物収納具。
【請求項５】
下段パネルであって、下段パネルの長手方向に沿って上面が凹、下面が凸となる下方側溝が複数形成され、
隣接する前記下方側溝と前記下方側溝の間に、前記下段パネルを貫通する下方開口部が複数設けられている
ことを特徴とする請求項１〜４のいずれかに記載の履物収納具。
【考案の詳細な説明】
【技術分野】
【０００１】
本考案は、履物収納具に係り、特に、切り離しが可能なストッパーを一体化した履物収納具に関する。
【背景技術】
【０００２】
従来、例えば、左右一足のうちの一方の履物が載置される下段パネルと他方の履物を載置する上段パネルが上下に離隔して配置され、前記下段パネルおよび前記上段パネルの前部を支持部により連設されてなる履物収納具として特許文献１記載のものがある。
上記履物収納具にあっては、上段パネルの上面前部に板状ストッパーを取り付けて、上段パネルに載置した履物が上段パネルから離脱しないようにしている（特許文献１の図３参照）。
【先行技術文献】
【特許文献】
【０００３】
【特許文献１】実用新案登録第３０９９２６１号公報
【考案の概要】
【考案が解決しようとする課題】
【０００４】
ところが、上記履物収納具を生産ライン、出荷時等において、特許文献１の図２記載のように、板状ストッパーを付けたまま履物収納具を重ねる場合、中に位置する履物収納具を外に位置する履物収納具の奥深く入れることができず、嵩張ると共に、板状ストッパーを上記履物収納具から外して、重ねると、出荷時、板状ストッパーを入れることを忘れてしまうという問題点があった。
【０００５】
本考案は、上記の問題点を除去するようにした履物収納具を提供することを目的とする。
【課題を解決するための手段】
【０００６】
請求項１記載の履物収納具は、左右一足のうちの一方の履物が載置される下段パネルと、この下段パネルの上に離隔して配置され、前記左右一足のうちの他方の履物が載置されると共に、ストッパー被係止部を有する上段パネルと、この上段パネルの前部と前記下段パネルの前部とを接続する接続部と、前記ストッパー被係止部に係止して、前記上段パネルに載置される前記他方の履物の離脱を防止するストッパーとを備え、前記ストッパーは、前記下段パネル、前記上段パネル、前記接続部の内の何れかに設けられ、前記ストッパーの周囲は、切り離しが可能な切れ目線が設けられているものである。
【０００７】
また、請求項２記載の履物収納具は、左右一足のうちの一方の履物が載置される下段パネルと、この下段パネルの上に離隔して配置され、前記左右一足のうちの他方の履物が載置されると共に、ストッパー被係止部を有する上段パネルと、この上段パネルの前部と前記下段パネルの前部とを接続する接続部と、前記ストッパー被係止部に係止して、前記上段パネルに載置される前記他方の履物の離脱を防止するストッパーとを備え、前記ストッパーは、前記接続部に設けられ、前記ストッパーの周囲は、切り離しが可能な切れ目線が設けられているものである。
【０００８】
また、請求項３記載の履物収納具は、請求項１又は請求項２記載の履物収納具において、上段パネルであって、上段パネルの長手方向に沿って上面が凹、下面が凸となる上方側溝が形成されているものである。
【０００９】
また、請求項４記載の履物収納具は、請求項１〜３のいずれかに記載の履物収納具において、下段パネルであって、下段パネルの長手方向に沿って上面が凹、下面が凸となる下方側溝が形成されているものである。
【００１０】
また、請求項５記載の履物収納具は、請求項１〜４のいずれかに記載の履物収納具において、下段パネルであって、下段パネルの長手方向に沿って上面が凹、下面が凸となる下方側溝が複数形成され、隣接する前記下方側溝と前記下方側溝の間に、前記下段パネルを貫通する下方開口部が複数設けられているものである。
【考案の効果】
【００１１】
請求項１記載の履物収納具によれば、 ストッパー被係止部に係止して、上段パネルに載置される他方の履物の離脱を防止するストッパーは、下段パネル、上段パネル、接続部の内の何れかに設けられ、前記ストッパーの周囲は、切り離しが可能な切れ目線が設けられている、つまり、切り離しが可能なストッパーを一体化した履物収納具であるため、中に位置する履物収納具を外に位置する履物収納具の奥深く入れて、履物収納具を重ねることができる。
なお、履物収納具を使用する時は、ストッパーの周囲を切り離した後、ストッパーをストッパー被係止部に係止させて、上段パネルに載置した履物が上段パネルから離脱しないようにすることができる。
【００１２】
また、請求項２記載の履物収納具によれば、ストッパー被係止部に係止して、上段パネルに載置される他方の履物の離脱を防止するストッパーは、接続部に設けられ、前記ストッパーの周囲は、切り離しが可能な切れ目線が設けられている、つまり、切り離しが可能なストッパーを一体化した履物収納具であるため、中に位置する履物収納具を外に位置する履物収納具の奥深く入れて、履物収納具を重ねることができ、しかも、ストッパーを分離した接続部の部位は、開口部となり、該開口部は通気窓を形成して、履物の通気を確保することができると共に、履物収納具を手前に導く際、開口部は取っ手の機能をも発揮し、使用勝手の良好な履物収納具を得ることができる。
なお、履物収納具を使用する時は、ストッパーの周囲を切り離した後、ストッパーをストッパー被係止部に係止させて、上段パネルに載置した履物が上段パネルから離脱しないようにすることができる。
【００１３】
また、請求項３記載の履物収納具によれば、上述した請求項１又は請求項２記載の考案の効果に加え、上段パネルであって、上段パネルの長手方向に沿って上面が凹、下面が凸となる上方側溝が形成されているため、上段パネルの強度を向上させると共に、中に位置する履物収納具の上面の凹を外に位置する履物収納具の下面の凸に合わせることにより、中に位置する履物収納具を外に位置する履物収納具の奥深く入れて、履物収納具をコンパクトに重ねることができる。
【００１４】
また、請求項４記載の履物収納具によれば、上述した１〜３のいずれかに記載の考案の効果に加え、下段パネルであって、下段パネルの長手方向に沿って上面が凹、下面が凸となる下方側溝が形成されているため、下段パネルの強度を向上させると共に、中に位置する履物収納具の下面の凸を外に位置する履物収納具の上面の凹に合わせることにより、中に位置する履物収納具を外に位置する履物収納具の奥深く入れて、履物収納具をコンパクトに重ねることができる。
【００１５】
また、請求項５記載の履物収納具によれば、上述した１〜４のいずれかに記載の考案の効果に加え、下段パネルであって、下段パネルの長手方向に沿って上面が凹、下面が凸となる下方側溝が形成されているため、下段パネルの強度を向上させると共に、中に位置する履物収納具の上面の凹を外に位置する履物収納具の下面の凸に合わせることにより、中に位置する履物収納具を外に位置する履物収納具の奥深く入れて、履物収納具をコンパクトに重ねることができ、しかも、下方側溝の下面が凸となるため、載置面との距離を確保し、下方開口部は通気窓を形成して、履物の通気を確保することができる。
【図面の簡単な説明】
【００１６】
【図１】図１は、本考案の一実施例の履物収納具の概略的斜視図である。
【図２】図２は、図１の履物収納具を複数重ねる状態を示す概略的断面図である。
【図３】図３は、図２の３−３線による概略的断面図である。
【図４】図４は、図２の４−４線による概略的断面図である。
【図５】図５は、図１の履物収納具の接続部に設けられたストッパーを切り離し、切り離した前記ストッパーをストッパー被係止部に係止した状態の概略的斜視図である。
【図６】図６は、図５の概略的断面図である。
【図７】図７は、図５の履物収納具の使用状態の概略的側面図である。
【図８】図８は、図１の履物収納具と異なる他の実施例の下段パネルの概略的平面図である。
【考案を実施するための形態】
【００１７】
本考案の一実施例の履物収納具を図面を参照して説明する。
図１、図２、図５〜図７に示す１は履物収納具で、履物収納具１は、図７に示すように、左右一足のうちの一方の履物Ｆ１が載置される下段パネル１１と、この下段パネル１１の上に離隔して配置され、左右一足のうちの他方の履物Ｆ２が載置されると共に、ストッパー被係止部Ｕ（図１、図２参照）を有する上段パネル１２と、この上段パネル１２の前部と下段パネル１１の前部とを接続する接続部１３と、ストッパー被係止部Ｕに係止して、上段パネル１２に載置される他方の履物Ｆ２の離脱を防止するストッパー１４（図５、図６、図７参照）とを備えている。
【００１８】
また、図１に示すＭは上方側溝で、上方側溝Ｍは、図２及び図３に示すように、上段パネル１２であって、上段パネル１２の長手方向に沿って上面が凹Ｍ１、下面が凸Ｍ２となるように形成されている。
これは、上段パネル１２の強度を向上させると共に、図２及び図３に示すように、中に位置する履物収納具１の上面の凹Ｍ１を外に位置する履物収納具１の下面の凸Ｍ２に合わせることにより、中に位置する履物収納具１を外に位置する履物収納具１の奥深く入れて、履物収納具１をコンパクトに重ねることができるようにするためである。上方側溝Ｍは、上段パネル１２に複数設けられている。
【００１９】
また、図１に示すｍは下方側溝で、下方側溝ｍは、図２及び図４に示すように、下段パネル１１であって、下段パネル１１の長手方向に沿って上面が凹ｍ１、下面が凸ｍ２となるように形成されている。
これは、上述した上段パネル１２と同様、下段パネル１１の強度を向上させると共に、図２及び図４に示すように、中に位置する履物収納具１の下面の凸ｍ２を外に位置する履物収納具１の上面の凹ｍ１に合わせることにより、中に位置する履物収納具１を外に位置する履物収納具の奥深く入れて、履物収納具をコンパクトに重ねることができるようにするためである。
また、下方側溝ｍは、下段パネル１１に複数設けられ、下段パネル１１には、複数の下方開口部１１Ａが複数設けられている。すなわち、隣接する下方側溝ｍと下方側溝ｍの間に、下段パネル１１を貫通する下方開口部１１Ａが複数設けられている。特に、下方側溝ｍの下面が凸ｍ２となるため、載置面Ｇ（図２及び図４参照）との距離を確保し、下方開口部１１Ａは通気窓を形成して、履物の通気を確保することができる。
【００２０】
上述した履物収納具１によれば、 ストッパー被係止部Ｕに係止して、上段パネル１２に載置される他方の履物Ｆ２の離脱を防止するストッパー１４は、接続部１３に設けられ、ストッパー１４の周囲は、切り離しが可能な切れ目線２０（図２参照）が設けられている、つまり、切り離しが可能なストッパー１４を一体化した履物収納具１（図１参照）であるため、中に位置する履物収納具１を外に位置する履物収納具１の奥深く入れて、履物収納具１を重ねることができる。
なお、履物収納具１を使用する時は、ストッパー１４の周囲を切り離した後、ストッパー１４をストッパー被係止部Ｕに係止させて、上段パネル１２に載置した履物Ｆ２が上段パネル１２から離脱しないようにすることができる（図７参照）。
特に、ストッパー１４を分離した接続部１３の部位は、開口部１３Ａとなり（図５及び図６参照）、該開口部１３Ａは通気窓を形成して、履物の通気を確保することができると共に、履物収納具１を手前に導く際、開口部１３Ａは取っ手の機能をも発揮することができる
【００２１】
なお、上述した実施例においては、望ましい例として、ストッパー１４を接続部１３に設けるようにしたが、ストッパー１４は、下段パネル１１、上段パネル１２、接続部１３の内の何れかに設けるようにしても良い。
ストッパー１４を下段パネル１１に設けた例を図８に示す。図８に示す実施例においては、上述した実施例（図１乃至図７）と同一部分に同一符号を付して、その説明を省略する。
【符号の説明】
【００２２】
１   履物収納具
Ｆ１   一方の履物
Ｆ２   他方の履物
１１   下段パネル
１２   上段パネル
１３   接続部
１４   ストッパー
２０   切れ目線
【図１】
0003185134.tif 000003
【図２】
0003185134.tif 000004
【図３】
0003185134.tif 000005
【図４】
0003185134.tif 000006
【図５】
0003185134.tif 000007
【図６】
0003185134.tif 000008
【図７】
0003185134.tif 000009
【図８】
0003185134.tif 000010